(57)【特許請求の範囲】
【請求項１】
少なくとも上面が開口で内部へ中詰材を入れる側面に貫通した通水孔のある中詰室を有するコンクリート製枠体からなり、該枠体は対峙する二側面のうち一方の側面に上方が突出し、他方の側面に下部が突出した段部として形成された曲折段継手を設け、該曲折段継手の部分に横方向の連結用孔を設け、その少なくとも一方の側面に形成した連結用孔が長孔である中詰め枠体ブロックを複数用い、
該中詰め枠体ブロックの対峙する二側面の一方の上方が突出した側面段部に、他方の下部が突出した側面段部を重ねて、各段部に形成された曲折段継手の横方向連結用孔により隣り合う各中詰め枠体ブロック間の曲折段継手相互を重ね合わせて設置面の不陸に添わせるように連結すると共に、
隣り合う各中詰め枠体ブロックを曲折段継手の形成方向に移動させて同一列に配置されるブロックの間隔調整をして複数のブロックを千鳥状に配置したことを特徴とする中詰め枠体ブロックの連結構造。
【発明の詳細な説明】
【０００１】
【発明の属する技術分野】
本発明は、内部に栗石、砕石、土砂の入った土嚢等を詰めて護岸、水流制御、河床保護などに用いる蛇籠としての中詰め枠体ブロックの連結構造に関するものである。
【０００２】
【従来の技術】
竹、鉄線などを円く編んだ籠の中に、栗石や砕石などを詰めたものが蛇籠として使用されてきた。河川工事の護岸、水流制御などに用いる。材料名を冠した竹蛇籠、鉄線蛇籠などとして知られている。
【０００３】
最近、鉄線蛇籠の使用が主流となっているが、籠内へ砕石等を充填するのが困難な上に、据付けも寸法精度、レベル出しが困難で、安定性の問題などを含んでいる。また、鉄線の露出端部や腐食、摩耗などの経年変化によって破壊されて生じた鉄線端部がけがの要因となり、かつ、足元を取られやすいので安全性の問題も指摘されている。本発明者は先に、このような従来の蛇籠が有する難点をプレキャストコンクリートブロック製とすることによって解決し、特願平10-99574号で提案している。その構造は上下に貫通した開口部を有し、該開口部を形成する枠体壁面を投入石の抜け出しを防止するに充分な孔径の多孔壁面とし、該枠体壁面の隣接ブロックとの対峙面に連結手段を設け、かつ、上縁を上下段ブロック間の重層縁としてなるものである。
【発明が解決しようとする課題】
【０００４】
従来提案してきた蛇籠構造のブロックは、石詰めなどの作業が容易で、施工も簡単である。中詰材に栗石や砕石等の石以外に土嚢なども入れることができるので、護岸はもちろんのこと、魚巣機能から植生の回復機能まで幅広く実現できる。足元をとられたり、物が引っ掛かったりし難く、けが等のトラブルの発生を抑止できる特徴がある。また、腐食や摩耗などの経年変化によって破壊されることがなく、中詰め石等が流出することもなく、耐久性も良いといった長所を有している。しかし、施工を重ねていくと、改良すべき点もみられるようになった。すなわち、これまでの構造の場合、複数個のブロックの連結によって形成される面がカーブを有する設置面の場合、点接触であり、不陸が生じるなど施工時に困難であり、カーブに対応させるためと安定性を確保するために役物(資材)の使用を増す必要があった。そこで、本発明者はプレキャストコンクリート製でありながらカーブに対応させることができ、不陸等の生じない、蛇籠の機能を有する中詰め枠体ブロックを検討した。
【０００５】
【課題を解決するための手段】
上記課題を検討した結果、少なくとも上面が開口で内部へ中詰材を入れる側面に貫通した通水孔のある中詰室を有するコンクリート製枠体であって、
この枠体は対峙する二側面のうち一方の側面に上方が突出し、他方の側面に下部が突出した段部として形成された曲折段継手を設け、この曲折段継手の部分に横方向の連結用孔を設け、その少なくとも一方の側面に形成した連結用孔が長孔であることを特徴とする中詰め枠体ブロックとした。
【０００６】
この中詰め枠体ブロック連結構造の具体例として、この中詰め枠体ブロックを複数用い、この中詰め枠体ブロックの対峙する二側面の一方の上方が突出した側面段部に、他方の下部が突出した側面段部を重ねて、各段部に形成された曲折段継手の横方向連結用孔により隣り合う各中詰め枠体ブロック間の曲折段継手相互を重ね合わせて設置面の不陸に添わせるように連結すると共に、隣り合う各中詰め枠体ブロックを曲折段継手の形成方向に移動させて同一列に配置されるブロックの間隔調整をして配置したものを示すことができる。
【０００７】
ここにいう枠体の少なくとも上面が開口とは、枠体の底面が閉鎖状態のものも含み、また、底面が開口状態であるが、中詰材が中詰め枠体ブロックから落下しない程度に小径の貫通孔を設けた場合も含む。また、枠体側面に設けた曲折段継手とは、枠体の側面が平坦ではなく、隣接する中詰め枠体ブロックの他方の曲折段継手を載置可能とする形状の段を有するもので、枠体の長手方向に連続して設けてもよいし、断続的であってもよい。連結用孔を長孔とすることにより、隣り合う各中詰め枠体ブロックを曲折段継手の形成方向(枠体側面長手方向)に移動させたときのブロック間ボルト止めを容易にする。更に、中詰室を下方が広い逆勾配又は凹凸の内壁面で形成すると、中詰材が抜けにくい作用が得られる。
【０００８】
【発明の実施の形態】
図１は本発明の中詰め枠体ブロック及びその複数個の連結構造を示す斜視図であり、図２は本発明の中詰め枠体ブロックの連結方向枠体断面図であり、図３は同ブロックの複数個連結時の護岸断面図である。図４は本発明の他の実施例の中詰め枠体ブロックを用いた連結構造の平面図である。図５は本発明の中詰め枠体ブロックの他の例を示す連結方向枠体断面図である。図６は他の実施例の中詰め枠体ブロックを用いた場合の連結構造を示す平面図である。
【０００９】
本発明の中詰め枠体ブロック１を構成する枠体の形状を図示した例では矩形としているが、方形であっても構わない。また、同一サイズのものを全体に用いる必要もなく、図４にみられるように端部に小サイズのものを用いてもよい。枠体は上面と下面が開口しており、内部へ中詰材２を入れる中詰室３を有する。枠体の対峙する二側面に曲折段継手４を設けており、対峙する一方の側面に設けた曲折段継手4aは下方が突出した段部であり、他方の曲折段継手4bは上方が突出した段部である。このような曲折段継手４を設け、横方向の連結用孔５を設けることによって、ブロック間をボルト６で連結すれば河川護岸、河床等に枠体で形成した強固な保護面を形成することができる。特に、石、土嚢等の中詰材２を中詰室３へ入れるので多自然型施工を可能にする。この例では中詰室３を下方が広い逆勾配の内壁面７で形成しているので、中詰室３が抜け出すことのない長期に亘り安定した護岸を形成することができる。
【００１０】
本発明の中詰め枠体ブロックを形成する枠体には、貫通した通水孔８及び連結用孔5a,5bを設けている。連結用孔5aは連結固定時のブロック固定位置の自由度を確保することができる。すなわち、隣り合う各中詰め枠体ブロックを曲折段継手４の形成方向(図４中矢印方向)に移動させて同一列に配置されるブロックの間隔調整をすることができる。千鳥状等の組み付けができる。また、図３にみられるように、隣り合う各中詰め枠体ブロック１,１の曲折段継手4a,4bを重ね合わせたとき、矢印方向の曲げが可能であるから、不陸のある法面等の設置面９に適度に添わせて連結可能である。環境との調和を保つために本発明の中詰め枠体ブロックの上縁等露出する部分には石張り、着色、擬石模様等を施すとよい。
【００１１】
図５に示すように、この曲げを許容する連結用孔5a,5bは中詰め枠体ブロックの対峙する二側面下部横方向に設けることもできる。また、中詰材の逃げを防止する手段として内壁面上部に突出部10などの凹凸を形成することもできる。
【００１２】
図６は本発明の中詰め枠体ブロック１の他の形状を示しており、六角形の例である。このように対峙する２辺(二側面)を有する多角形に本発明は実施し易い。
【００１３】
【発明の効果】
本発明の中詰め枠体ブロックは、蛇籠の機能を有し、プレキャストコンクリート製でありながら施工面がカーブしていても役物を要しないでそれに対応させることができ、施工面に凹凸があっても不陸調整ができる特徴を有している。長期に亘り中詰材が保持される優れた施工を可能にした。
【図面の簡単な説明】
【図１】本発明の中詰め枠体ブロック及びその複数個の連結構造を示す斜視図である。
【図２】本発明の中詰め枠体ブロックの連結方向枠体断面図である。
【図３】同ブロックの複数個連結時の護岸断面図である。
【図４】本発明の他の実施例の中詰め枠体ブロックを用いた連結構造の平面図である。
【図５】本発明の中詰め枠体ブロックの他の例を示す連結方向枠体断面図である。
【図６】他の実施例の中詰め枠体ブロックを用いた場合の連結構造を示す平面図である。
【符号の説明】
１ 中詰め枠体ブロック
２ 中詰材
３ 中詰室
４ 曲折段継手
5a,5b 連結用孔
６ ボルト
７ 内壁面
８ 通水孔
９ 設置面
10 突出部
【図１】
0004190087.tif 000002
【図２】
0004190087.tif 000003
【図３】
0004190087.tif 000004
【図４】
0004190087.tif 000005
【図５】
0004190087.tif 000006
【図６】
0004190087.tif 000007